(57)【要約】  【課題】コンピュータや携帯通信機器等の表示画面において、サムネール画像やアイコン等の画面表示用アイテムによって、ユーザのアクセス使用状況やデータ内容等の各種関連情報が直感的に判り、これによって優れたユーザインターフェースを実現する。  【解決手段】表示画面を利用して指定されたデータにアクセスし、また表示画面を利用して指定された処理を実行する情報処理装置１０において、予め、データまたは処理に関連した付属情報をこのデータまたは処理と対応させて付随させるとともに、前記付属情報の中から所望の情報を識別表示情報として抽出するための情報抽出項目を、複数の選択項目の中から設定しておき、ディスプレイ１４に画面表示用アイテムの表示を行う際、情報抽出項目に基づいて抽出される識別表示情報に基づいて、画面表示用アイテムを加工処理し、この加工処理された画面表示用アイテムをディスプレイ１４に表示する。【選択図】図１
2005258755.tif 000002
【特許請求の範囲】
【請求項１】
表示画面を利用して指定されたデータにアクセスし、また表示画面を利用して指定された処理を実行する情報処理機器において、表示画面に前記データおよび前記処理の少なくとも一方の画面表示用アイテムを表示する画面表示用アイテムの表示方法であって、
予め、前記データまたは前記処理に関連した付属情報をこのデータまたは処理と対応させて付随させるとともに、前記付属情報の中から所望の情報を識別表示情報として抽出するための情報抽出項目を、複数の選択項目の中から設定しておき、
前記表示画面に画面表示用アイテムの表示を行う際、
前記情報抽出項目に基づいて抽出される前記識別表示情報に基づいて、前記画面表示用アイテムを加工処理し、
この加工処理された画面表示用アイテムを表示画面に表示することを特徴とする画面表示用アイテムの表示方法。
【請求項２】
前記アクセス可能なデータは画像データであり、
前記画面表示用アイテムは、前記画像データを間引き処理を行ってデータサイズを小さくした原画像の縮小画像である請求項１に記載の画面表示用アイテムの表示方法。
【請求項３】
前記付属情報は、前記データに過去アクセスした履歴のうち最新の時間情報を含み、
この最新の時間情報を前記識別表示情報とし、前記最新の時間情報から前記画面表示用アイテムを表示する現時点にいたる経過時間の長短に応じて前記加工処理の加工レベルを変化させる請求項１または２に記載の画面表示用アイテムの表示方法。
【請求項４】
前記データは、前記情報処理装置に保持された保持データであり、
前記付属情報は、前記データの保持開始時間情報を含み、
この保持開始時間情報を前記識別表示情報とし、前記保持開始時間情報から前記画面表示用アイテムを表示する現時点にいたる経過時間の長短に応じて前記加工処理の加工レベルを変化させる請求項１または２に記載の画面表示用アイテムの表示方法。
【請求項５】
前記加工処理は、前記経過時間が長くなるほど、前記画面表示用アイテムの色濃度を薄くする色変換処理およびコントラストを低下する軟調化処理の少なくともいずれか一方の処理を含む請求項３または４に記載の画面表示用アイテムの表示方法。
【請求項６】
前記加工処理は、前記経過時間が長くなるほど、前記画面表示用アイテムの縁部に大きな凹凸を加える加工処理および大きな粒子が分散した画像を合成する加工処理の少なくともいずれか一方の処理を含む請求項３〜５のいずれか１項に記載の画面表示用アイテムの表示方法。
【請求項７】
前記アクセス可能なデータは、撮影画像の画像データであり、
前記付属情報は、前記撮影画像の撮影場所情報を含み、
この撮影場所情報を前記識別表示情報として、通信回線を利用して前記撮影場所情報から現在の撮影場所における現地情報を取得し、前記加工処理として、前記現地情報を表す画像を合成する処理を行う請求項１〜６のいずれか１項に記載の画面表示用アイテムの表示方法。
【請求項８】
前記現地情報は、前記撮影場所の現在の天気情報であり、前記識別表示用画像に、前記天気情報に応じた天気識別用表示画像を合成する請求項７に記載の画面表示用アイテムの表示方法。
【請求項９】
前記アクセス可能なデータは、撮影画像の画像データであり、
前記付属情報は、前記撮影画像の画像特徴量を含み、
前記画像特徴量に応じて前記画面表示用アイテムに加工処理を施す請求項１または２に記載の画面表示用アイテムの表示方法。
【請求項１０】
前記画像特徴量は、前記撮影画像の鮮鋭度の強弱を表すパラメータであって、
前記パラメータが許容範囲を外れる場合、前記加工処理として前記画面表示用アイテムを微小振動させる動画処理を行う請求項８に記載の画面表示用アイテムの表示方法。
【請求項１１】
表示画面を利用して指定されたデータにアクセスし、また表示画面を利用して指定された処理を実行する情報処理機器において、表示画面に前記データおよび前記処理の少なくとも一方の画面表示用アイテムを表示する画面表示用アイテムの表示方法であって、
予め、前記データまたは前記処理に関連した付属情報をこのデータまたは処理と対応させて付随させるとともに、前記付属情報の中から所望の情報を識別表示情報として抽出するための情報抽出項目を、複数の選択項目の中から設定しておき、
前記表示画面に画面表示用アイテムの表示を行う際、
前記情報抽出項目に基づいて抽出される前記識別表示情報に基づいて、前記画面表示用アイテムに識別用音信号を付加し、
前記画面表示用アイテムが表示画面において指定されたとき、付加された前記識別用音信号を発することを特徴とする画面表示用アイテムの表示方法。
【請求項１２】
表示画面に、アクセス可能なデータおよび実行可能な処理の少なくとも一方の画面表示用アイテムを表示し、この時の表示画面を利用して指定されたデータにアクセスし、また表示画面を利用して指定された処理を実行する情報処理機器であって、
予め、前記データまたは前記処理に関連した付属情報をこのデータまたは処理と対応して記憶したデータベース部と、
前記付属情報の中から所望の情報を識別表示情報として抽出するための情報抽出項目を設定する設定部と、
前記情報抽出項目に基づいて前記データベース部から抽出される前記識別表示情報に基づいて、前記画面表示用アイテムを加工処理する加工処理部と、
この加工処理された画面表示用アイテムを表示画面に表示するディスプレイと、を有することを特徴とする情報処理機器。
【請求項１３】
表示画面に、アクセス可能なデータおよび実行可能な処理の少なくとも一方の画面表示用アイテムを表示し、この時の表示画面を利用して指定されたデータにアクセスし、また表示画面を利用して指定された処理を実行する情報処理機器であって、
予め、前記データまたは前記処理に関連した付属情報をこのデータまたは処理と対応して記憶したデータベース部と、
前記付属情報の中から所望の情報を識別表示情報として抽出するための情報抽出項目を、複数の選択項目の中から設定する設定部と、
前記情報抽出項目に基づいて抽出される前記識別表示情報に基づいて、前記画面表示用アイテムに識別用音信号を付加する加工処理部と、を有し、
前記画面表示用アイテムが表示画面において指定されたとき、付加された前記識別用音信号を発することを特徴とする情報処理機器。
【発明の詳細な説明】
【技術分野】
【０００１】
本発明は、表示画面を通してデータにアクセスし、また表示画面を通して指定された処理を実行する情報処理機器において、表示画面にアクセス可能なデータおよび実行可能な処理の画面表示用アイテムを表示する画面表示用アイテムの表示方法および情報処理機器に関する。例えば、コンピュータや携帯機器や受信／発信の双方向機能を有するデジタルテレビ等の情報処理機器の表示画面に、アクセス可能な画像データに対応したサムネール画像や、インターネット接続や通話発信等の実行可能な処理ルーチンに対応した処理指示用アイコン等の画面表示用アイテムの画面表示方法（バナー表示方法）およびこの画面表示を行う情報処理機器に関する。
【背景技術】
【０００２】
コンピュータの表示画面や携帯通信機器の表示画面では、アクセス可能な画像の画像データを間引いてサイズを縮小化したサムネール画像や、実行可能な処理に対応して表した処理指示用アイコン等が、良好なユーザインタフェースを確保する点から用いられる。
【０００３】
下記特許文献１では、媒体源からのコンテンツのサムネール画像をバナー表示するユーザインターフェースが開示され、サムネール画像をバナー表示してサムネール画像に関連するプログラム関連情報等のアイテムを見つけ易くするように構成されている。これにより、ユーザインターフェースに優れたシステムを提供することができるとされている。
【０００４】
ところが、上記サムネール画像は、関連情報を見つけ易くするためにバナー表示されるが、上記関連情報自体は文字情報であるため、表示画面から文字を読み取らなければならない。このため、ユーザはサムネール画像を見ただけで関連情報を知ることはできず、直感的に判りづらい場合も多く、必ずしもユーザインターフェースに優れたものといえなかった。
【０００５】
【特許文献１】特開２００１−２０３９５４号公報
【発明の開示】
【発明が解決しようとする課題】
【０００６】
そこで、本発明は、コンピュータや携帯通信機器等の表示画面において、アクセス可能なデータや実行処理可能な処理に対応して表された画面表示用アイテムによって、ユーザのアクセス使用状況やデータ内容等の各種関連情報が、文字情報を読むことなく直感的に判り、これによって優れたユーザインターフェースを実現する画面表示用アイテムの表示方法を提供するとともに、このような画面表示を行う情報処理機器を提供することを目的とする。
【課題を解決するための手段】
【０００７】
上記目的を達成するために、本発明は、表示画面を利用して指定されたデータにアクセスし、また表示画面を利用して指定された処理を実行する情報処理機器において、表示画面に前記データおよび前記処理の少なくとも一方の画面表示用アイテムを表示する画面表示用アイテムの表示方法であって、予め、前記データまたは前記処理に関連した付属情報をこのデータまたは処理と対応させて付随させるとともに、前記付属情報の中から所望の情報を識別表示情報として抽出するための情報抽出項目を、複数の選択項目の中から設定しておき、前記表示画面に画面表示用アイテムの表示を行う際、前記情報抽出項目に基づいて抽出される前記識別表示情報に基づいて、前記画面表示用アイテムを加工処理し、この加工処理された画面表示用アイテムを表示画面に表示することを特徴とする画面表示用アイテムの表示方法を提供する。
【０００８】
前記アクセス可能なデータは、例えば画像データであり、前記画面表示用アイテムは、例えば、前記画像データを間引き処理を行ってデータサイズを小さくした原画像の縮小画像である。
前記付属情報は、前記データに過去アクセスした履歴のうち最新の時間情報を含み、この最新の時間情報を前記識別表示情報とし、前記最新の時間情報から前記画面表示用アイテムを表示する現時点にいたる経過時間の長短に応じて前記加工処理の加工レベルを変化させる。
あるいは、前記データは、前記情報処理装置に保持された保持データであり、前記付属情報は、前記データの保持開始時間情報を含み、この保持開始時間情報を前記識別表示情報とし、前記保持開始時間情報から前記画面表示用アイテムを表示する現時点にいたる経過時間の長短に応じて前記加工処理の加工レベルを変化させる。
【０００９】
このときに行われる前記加工処理は、前記経過時間が長くなるほど、前記画面表示用アイテムの色濃度を薄くする色変換処理およびコントラストを低下する軟調化処理の少なくともいずれか一方の処理を含むのが好ましい。
また、前記加工処理は、前記経過時間が長くなるほど、前記画面表示用アイテムの縁部に大きな凹凸を加える加工処理および大きな粒子が分散した画像を合成する加工処理の少なくともいずれか一方の処理を含むのも、同様に好ましい。
【００１０】
前記アクセス可能なデータは、例えば撮影画像の画像データであり、前記付属情報は、前記撮影画像の撮影場所情報を含み、この撮影場所情報を前記識別表示情報として、通信回線を利用して前記撮影場所情報から現在の撮影場所における現地情報を取得し、前記加工処理として、前記現地情報を表す画像を合成する処理を行う。
その際、前記現地情報は、例えば前記撮影場所の現在の天気情報であり、前記識別表示用画像に、前記天気情報に応じた天気識別用表示画像を合成する。
前記アクセス可能なデータは、例えば撮影画像の画像データであり、前記付属情報は、前記撮影画像の画像特徴量を含み、前記画像特徴量に応じて前記画面表示用アイテムに加工処理を施す。その際、前記画像特徴量は、前記撮影画像の鮮鋭度の強弱を表すパラメータであって、前記パラメータが許容範囲を外れる場合、前記加工処理として前記画面表示用アイテムを微小振動させる動画処理を行うのが好ましい。
【００１１】
また、本発明は、表示画面を利用して指定されたデータにアクセスし、また表示画面を利用して指定された処理を実行する情報処理機器において、表示画面に前記データおよび前記処理の少なくとも一方の画面表示用アイテムを表示する画面表示用アイテムの表示方法であって、予め、前記データまたは前記処理に関連した付属情報をこのデータまたは処理と対応させて付随させるとともに、前記付属情報の中から所望の情報を識別表示情報として抽出するための情報抽出項目を、複数の選択項目の中から設定しておき、前記表示画面に画面表示用アイテムの表示を行う際、前記情報抽出項目に基づいて抽出される前記識別表示情報に基づいて、前記画面表示用アイテムに識別用音信号を付加し、前記画面表示用アイテムが表示画面において指定されたとき、付加された前記識別用音信号を発することを特徴とする画面表示用アイテムの表示方法を提供する。
【００１２】
さらに、本発明は、表示画面に、アクセス可能なデータおよび実行可能な処理の少なくとも一方の画面表示用アイテムを表示し、この時の表示画面を利用して指定されたデータにアクセスし、また表示画面を利用して指定された処理を実行する情報処理機器であって、
予め、前記データまたは前記処理に関連した付属情報をこのデータまたは処理と対応して記憶したデータベース部と、前記付属情報の中から所望の情報を識別表示情報として抽出するための情報抽出項目を設定する設定部と、前記情報抽出項目に基づいて前記データベース部から抽出される前記識別表示情報に基づいて、前記画面表示用アイテムを加工処理する加工処理部と、この加工処理された画面表示用アイテムを表示するディスプレイと、を有することを特徴とする情報処理機器を提供する。
【００１３】
また、本発明は、表示画面に、アクセス可能なデータおよび実行可能な処理の少なくとも一方の画面表示用アイテムを表示し、この時の表示画面を利用して指定されたデータにアクセスし、また表示画面を利用して指定された処理を実行する情報処理機器であって、
予め、前記データまたは前記処理に関連した付属情報をこのデータまたは処理と対応して記憶したデータベース部と、前記付属情報の中から所望の情報を識別表示情報として抽出するための情報抽出項目を、複数の選択項目の中から設定する設定部と、前記情報抽出項目に基づいて抽出される前記識別表示情報に基づいて、前記画面表示用アイテムに識別用音信号を付加する加工処理部と、前記画面表示用アイテムを表示するディスプレイと、を有し、前記画面表示用アイテムが表示画面において指定されたとき、付加された前記識別用音信号を発することを特徴とする情報処理機器を提供する。
【発明の効果】
【００１４】
本発明は、表示画面に画面表示用アイテムの表示を行う際、情報抽出項目に基づいて抽出される識別表示情報に基づいて、画面表示用アイテムを加工処理し、この加工処理された画面表示用アイテムを表示画面に表示するので、識別表示情報に応じて画面表示用アイテムが種々の形態に加工処理されて表示される。このため、ユーザのアクセス使用状況やデータ内容等の各種関連情報が、文字情報を読むことなく直感的に判り、優れたユーザインターフェースを実現する。
【発明を実施するための最良の形態】
【００１５】
以下、本発明の画面表示用アイテムの表示方法および情報処理機器について、添付の図面に示される好適実施例を基に詳細に説明する。
【００１６】
図１は、本発明の画面表示用アイテムの表示方法を行う情報処理装置１０を機能的に表した、概略の構成を示すブロック図である。
情報処理装置１０は、例えばコンピュータや携帯電話やＰＤＡ（Portable Digital Asistant)等の携帯通信機器、さらには受信／発信の双方向機能を有するデジタルテレビ等の情報処理機器である。
【００１７】
情報処理装置（以降、単に装置という）１０は、表示画面を介してオペレータにより成された指示に応じて、所望のデータにアクセスして所望の処理を行う情報処理本体部１２と、サムネール画像やアイコンを画面表示する（バナー表示する）ディスプレイ（表示画面）１４と、サムネール画像やアイコンの表示画像を加工処理するための加工処理部１６と、この加工処理を行うための処理プログラムを格納した処理プログラム格納部１８と、加工処理を行う処理プログラムを設定する処理プログラム生成部２０と、加工処理を行う際に用いる識別表示情報を抽出する識別表示情報抽出部２２と、原画像に関する情報や処理内容に関する情報を原画像やアイコンの画像データや情報処理プログラムに付随させて記憶保持するデータベース部２４と、画像表示用アイテムの画像データおよび後述する情報抽出項目を設定する表示用アイテム・項目設定部２６と、外部ネットワークに接続して通信を行う通信部２８と、を有する。
【００１８】
ディスプレイ１４は、指定されたデータにアクセスし、また指定された処理を実行するために、データのアクセスや処理の実行を指示するためにサムネール画像やアイコンを表示する部分である。図２（ａ）は、装置１０の一例であるコンピュータにおいてディスプレイ１４に表示される画面５０の例を示している。
画面５０は、フォルダ５２内にアクセス可能な画像データのサムネール画像５４（５４ａ〜５４ｅ）が表示されている。サムネール画像５４が例えばマウス等を用いてポインタ５６で指定されてクリックされると、画像データをアクセスして、データベース２４から呼び出し、原画像を画面表示するように機能する。
【００１９】
図２（ｂ）〜（ｅ）は、ディスプレイ１４に表示されるサムネール画像の表示形態の例を示す図である。
図２（ｂ）は、原画像である撮影画像をそのまま表示したサムネール画像の例を示し、図２（ｃ）は撮影画像の色濃度が低下し、かつ画像の縁部が風化したように切れ込みが入って凹凸が形成された例を示す。図２（ｄ）は、撮影画像の色濃度が低下し、かつ画像にあたかも埃がかぶったように大きな粒子が分散した画像が合成されたサムネール画像の例を示す。図２（ｅ）は、撮影画像の縁部が捲れ上がったサムネール画像の例を示す。
装置１０のディスプレイ１４には、このように原画像から様々に変形した表示形態のサムネール画像やアイコンが表示される。
【００２０】
このようなサムネール画像やアイコンは、加工処理部１６において加工処理されて、表示用のサムネール画像やアイコンが作成される。
加工処理は、表示用アイテム・項目設定部２６、処理プログラム生成部２０、識別表示情報抽出部２２を経由して加工処理内容が設定されて加工処理部１６にて成される。
【００２１】
表示用アイテム・項目設定部２６は、ディスプレイ１４に表示しようとするサムネール画像の原画像をオペレータが指定することによって画面表示しようとする対象を設定するとともに、この原画像に関する付属情報の中のどの種類の情報を抽出して、加工処理に用いる情報（識別表示情報）とするかについて定める情報抽出項目を、複数の選択項目の中からオペレータの指定により設定する部分である。また、情報抽出項目の設定に対応して、ディスプレイ１４に表示する画像に施す加工処理内容を設定する部分でもある。設定された加工処理内容の情報は処理プログラム生成部２０に供給される。一方、設定された情報抽出項目は、識別表示情報抽出部２２に供給される。
【００２２】
情報抽出項目あるいは、この項目を含む選択項目は、例えば画像データのデータベース部２４への格納した日時、過去のアクセス履歴のうち最新のデータアクセス時からの経過時間に関する項目、プリント印刷の有無等に関する項目、アクセス履歴に関する項目、原画像中の撮影被写体個人情報（体重、身長）に関する項目、あるいは原画像の画像特徴量（エッジ成分の鮮鋭度、データサイズ）に関する項目、指定日時に関する項目等が挙げられる。
付属情報とは、例えば原画像が撮影画像であれば、撮影場所、撮影時刻、撮影方位、撮影時のストロボ使用の有無等の撮影条件に関する情報や、撮影被写体に関する情報の他、装置１０にて原画像にアクセスされた履歴情報、例えば原画像の画像データの、過去一定の時間内のアクセス頻度あるいは最新のアクセス時刻等、さらには作成中の書類の最終締め切りを定めた指定日時等が例示される。原画像がデジタルスチルカメラで撮影された撮影画像の場合、Exif(Exchangeable Image File Format)の撮影画像に付属した付属データの内容が、原画像の格納の際に同時に付属情報として格納される。原画像に関する付属情報は、原画像の画像データに付随してデータベース部２４に格納される。原画像は、撮影された画像の他に、処理装置内で作成された画像であってもよい。付属情報は、表示用アイテム・項目設定部２６からオペレータのマニュアル入力により作成されてもよい。
【００２３】
また、上述したように、表示用アイテム・項目設定部２６は、上記複数の選択項目の中から設定された情報抽出項目と対応させて、図２（ｃ）〜（ｅ）に示すサムネール画像のように施すべき加工処理の処理内容を自在に設定する部分でもある。加工処理の処理内容は、複数のモジュール化された処理要素が組み合わされて構成され、このときの複数の処理要素は、予め設定された処理要素群の中から、表示用アイテム・項目設定部２６においてオペレータの指定により自在に設定できるようになっている。処理要素としては、予め定められた基本パターン画像に合成する処理、拡大・縮小処理、回転処理、移動処理、その他各種画像処理（色変換処理、濃度変更処理、画像の合成処理、縁部凹凸処理等）が例示される。このような処理要素の組み合わせを規定する情報が情報抽出項目と対応されて記憶される。
【００２４】
処理プログラム生成部２０は、処理要素をモジュール化した処理プログラムを処理プログラム格納部１８から呼び出して、加工処理の処理内容を規定した加工処理プログラムを生成する。ここで、加工処理の処理要素がどの程度の加工レベルで処理されるかについては、加工処理プログラムの引数となっている。例えば、拡大・縮小処理の倍率、あるいは濃度変更の際の濃度変更量等が、加工処理プログラムにおける引数となっている。
このようにして生成された加工処理プログラムは、加工処理部１６に供給される。
【００２５】
一方、識別表示情報抽出部２２は、設定された情報抽出項目に基づいて、格納された画像データに付随した付属情報を検索し、情報抽出項目にマッチした付属情報を、識別表示情報として抽出する部分である。
例えば、情報抽出項目としてデータアクセスからの経過時間に関する項目が設定されている場合、各画像データ内のアクセス履歴の中から最新のアクセス日時が識別表示情報として抽出される。このような付属情報には、必ずしも情報抽出項目にマッチする情報が含まれているとは限らない。マッチする情報が見つからない場合、「該当無し」の情報が識別表示情報とされる。
こうして取得された識別表示情報は、加工処理部１６に供給される。
【００２６】
加工処理部１６は、作成された加工処理プログラムと、供給された識別表示情報とを用いて、サムネール画像やアイコンの画像に加工処理を施す部分である。
まず、加工処理部１６は、原画像の画像データがデータベース部２４から呼び出され、呼び出された画像データを間引き処理してデータサイズが小さくなった原画像の縮小画像であるサムネール画像やアイコンの画像を作成する。作成したサムネール画像やアイコンの画像に対して、供給された識別表示情報に基づいて画像の加工処理を行う。この加工処理は、作成された加工処理プログラムを用いて行い、例えば、識別表示情報が過去のアクセス履歴の中の最新アクセス日時である場合、このアクセス日時から現在画面表示しようとする日時までの経過時間を算出し、この経過時間を加工処理プログラムにおける引数として加工処理プログラムに提供する。加工処理プログラムは、提供された引数に応じて加工レベルの大小を決定し、これに基づいてサムネール画像やアイコンの画像に加工処理を加える。
【００２７】
例えば、過去のアクセス履歴の中の最新アクセス日時から現在の日時に至る経過時間が、所定値以下の場合、画像の加工処理は全く行わず、所定値を超えた場合、経過時間が長くなるほど画像に施す加工レベルを大きくする。例えば、上記経過時間を定められた区間に区切って加工レベルを数値化し、経過時間が長くなるほど、加工レベルを大きくする。加工レベルとは、例えば図２（ｅ）に示す様に、画像の縁部に切り込みを入れる加工処理の場合、経過時間が長くなるほど、切り込みを長く入れて大きな凹凸を形成するように凹凸処理を行うレベルをいう。
また、加工処理が画像濃度変更処理の場合、上記経過時間が長くなるほど画像濃度を低下させて、セピア風に色変換を行うこともできる。図２（ｅ）に示す様に、大きな粒子が分散した画像を合成する加工処理の場合、上記経過時間が長くなるほど大きな粒子を多数分散させて、あたかも画像が埃をかぶったような状態を再現する。
こうして加工処理されたサムネール画像やアイコンの画像は、ディスプレイ１４に供給され、図２（ｂ）〜（ｅ）のような形態で識別表示される。
【００２８】
加工処理部１６は、サムネール画像に画像処理を施して加工処理を行う他、撮影画像の撮影場所情報が識別表示情報として供給されると、この識別表示情報に従って、外部ネットワークに接続されている通信部２８を介して、所定のネットワーク中のノードにアクセスし、上記撮影場所における現在の天気やイベント開催情報等の現地情報を取得し、取得した情報に対応した画像をサムネール画像やアイコンの画像に合成する加工処理を行ってもよい。図３（ａ）は、合成処理されたサムネール画像であって、撮影場所の天気が雨である傘マークが合成されている。あるいは、サムネール画像内で雨が降る状態を再現した動画処理を行い、画面表示することもできる。このように合成されたサムネール画像は画面表示が終了すると、削除されてもよい。時々刻々変化する撮影場所の現地情報は最新の情報が有効であるからである。
【００２９】
また、識別表示情報が、例えば画像特徴量の１つであるエッジ成分の鮮鋭度の場合、鮮鋭度が許容範囲からはずれて低くなった場合、撮影画像が手振れ画像であることを画面表示するために、サムネール画像を図３（ｂ）に示すように振動させる動画処理を加工処理として行ってもよい。
また、識別表示情報が撮影被写体の個人情報である体重の情報である場合、図３（ｃ）に示すように、縦軸に体重のメモリスケールが、横軸に支持棒が取り付けられ、バネを介して画像が懸下している基本パターン画像に、撮影被写体の体重の情報に応じてバネの伸びた状態でサムネール画像がぶら下がって表示されるように、基本パターン画像にサムネール画像を合成する合成処理を加工処理として行うこともできる。この場合、サムネール画像がバネによって上下方向に揺れた状態を再現した動画処理を加えることもできる。
さらに、体重の軽重に応じて、サムネール画像に上下方向に圧縮・伸長処理を施す加工処理を行うこともできる。これにより、撮影被写体の体重がより重いほど、より大きく圧縮処理を掛けて、樽型の体型を成すように加工処理を行うこともできる。
また、縦軸に画像サイズのスケールが、横軸に支持棒が取り付けられ、バネを介して画像が懸下している基本パターン画像に、撮影画像のサイズ情報に応じてバネの伸びた状態でサムネール画像がぶら下がって表示されるように、基本パターン画像にサムネール画像を合成する合成処理を加工処理として行うこともできる。
【００３０】
また、識別表示情報が過去にプリント印刷を行ったか否かに関するアクセス履歴情報である場合、プリント印刷した画像については、縁部が捲れ上がった状態の基本パターン画像にサムネール画像を合成する加工処理を行うこともできる。また、このときのプリント印刷のサイズを識別表示情報とし、サムネール画像の表示サイズの拡大・縮小処理を行う加工処理を行うこともできる。
原画像のアクセス頻度が識別表示情報である場合、アクセス頻度の高い原画像のサムネール画像ほどディスプレイ１４の手前に見えるように３次元立体処理を施す加工処理を行うこともできる。
【００３１】
さらに、原画像が撮影画像であって、識別表示情報が撮影の際ストロボを用いた撮影条件に関する情報である場合、サムネール画像が、周期的かつ一時的に画像濃度が低下し、あたかもストロボが用いられたように再現する画像処理および動画処理を加工処理として用いることもできる。
また、識別表示情報が、「海」、「山」等の撮影場所である場合、撮影場所に応じた動画処理を行うこともできる、例えば、撮影場所が「海」である場合、撮影被写体として写っている海が海面に浮いているように、あるいは海面の反射を再現した動画処理を加工処理として用いることもできる。
【００３２】
なお、データベース部２４に格納される画像データは静止画の他に動画であってもよい。
この場合、サムネール画像やアイコンは、動画の１コマを代表として表し、そのとき動画の長さ（動画再生時間）を識別表示情報とし、この動画の長さに応じた帯の画像が合成され、かつこの帯がたなびくように動画処理を行うこともできる。
さらに、データベース部２４は、文書や図形を作成中のテキスト・図形データを格納してもよい。例えば、書類や図面の提出、あるいは納品すべき期限設定された指定日時を識別表示情報とし、このときのサムネール画像やアイコンの画像に着火した導火線の画像を合成し、かつ指定日時が近づくにつれて導火線が短くなるように動画処理を行って、ディスプレイ１４に表示することもできる。
なお、識別表示情報が「該当無し」の場合、対応するサムネール画像が識別されるように、例えばサムネール画像を囲む太枠が形成される等の合成処理が施されて、ディスプレイ１４に表示することもできる。
【００３３】
このような加工処理の施されたサムネール画像やアイコンは、装置１０を用いるオペレータに応じて異なる表示形態で画面表示されるようにオペレータ毎に設定される表示モードを備えてもよい。また、これらの各表示モードにおいて、合成処理する基本パターン画像が表示用アイテム・項目設定部２６にて別途追加設定されてもよい。このような画面表示用アイテムの追加設定によりカスタマイズ化された表示モードは、予め装置１０に組み込まれたデフォルト設定の表示モードとの間で自在にモード切り替えが行われてもよい。
また、サムネール画像やアイコンに施すべき加工処理の処理内容が原画像の画像データ毎に設定され、サムネール画像やアイコン毎に異なる加工処理が施されてもよい。この場合、加工処理に用いられる加工処理プログラムを特定する情報は、原画像の画像データの付属情報に含ませてもよい。これにより、原画像を装置１０から他の外部処理装置に転送する場合、原画像とともに加工処理プログラムを特定する情報も付属情報として転送され、転送先の処理装置において、同様の加工処理されたサムネール画像やアイコンが画面表示される。
【００３４】
上記実施形態では、サムネール画像を、原画像の画像データにアクセスして呼び出す形態の画面表示用アイテムとして説明したが、本発明における画面表示用アイテムは、カーソルにて指定してクリックすることで、所定の処理を実行開始するアイコンに用いることもできる。処理として、例えば、アイコンをクリックすることで、通話発信をする、所定のメールや情報をネットワーク上の所定のノードに転送する、所定の処理プログラムを実行開始させる等の処理が挙げられる。
【００３５】
例えば、装置１０が携帯電話である場合、図２（ｂ）〜（ｄ）のようなサムネール画像を通話発信用アイコンとしてディスプレイ１４に表示することで、一定の期間内において通話をしていない相手のサムネール画像の縁部にひびが入ったように、また埃をかぶったように表示され、また、セピア風に表示され、あるいは霞がかかったように画像濃度が低下して表示される。これにより、アイコンに表されている画像の状態をオペレータは知ることで、最近の通信先別の通話状態を直感的に知ることができる。
さらに、ある一定の加工レベルで加工処理されたアイコンやサムネール画像をソートすることによって集め、最近使用していないアイコンやサムネール画像を削除の対象としてもよい。
【００３６】
なお、本発明においては、ディスプレイ１４に画面表示用アイテムの表示を行う際、サムネール画像やアイコン等の画面表示用アイテムに画像処理や合成処理を施す他、情報抽出項目に基づいて抽出される識別表示情報に基づいて、画面表示用アイテムに識別用音信号を付加する加工処理を施し、画面表示用アイテムがディスプレイ１４においてマウス等で指定されたとき、付加された識別用音信号を発するようにすることもできる。例えば、原画像が撮影画像であり、識別表示情報が撮影場所に関する情報である場合、例えば、撮影場所が「海」である場合、波の音を識別用音信号として付加する。また、撮影画像が人物撮影である場合、事前に収録した撮影被写体が自分の名前を発する音声を識別用音信号として付加する。これにより、画面表示用アイテムが指定されたとき、付加された識別用音信号が発し、画面表示用アイテムを容易に識別することができる。もちろん加工処理として、表示する画像の画像処理や合成処理等とともに識別用音信号を付加する処理を組み合わせることもできる。
このような音信号はコンピュータにおいてアイコンを指定するたびに発するが、ファイルを開いた時点で、データの存在を示すアイコンを指定することなく順次音信号を発するようにしてもよい。
【００３７】
なお、図１に示すブロック図は、装置１０の構成を機能的に説明したブロック図であるが、本発明における装置１０の加工処理部１６、処理プログラム生成部２０、識別表示情報抽出部２２および表示用アイテム・項目設定部２６は、装置１０の図示されないＣＰＵの演算およびメモリによる記憶保持によって機能する、すなわちソフトウェア処理によって機能を実現するものであってもよいし、専用回路によるハードウェア処理とソフトウェア処理が組み合わさって所定の処理が実現されるものであってもよい。
【００３８】
以上、本発明の画面表示用アイテムの表示方法および情報処理機器について詳細に説明したが、本発明は上記実施形態に限定されず、本発明の主旨を逸脱しない範囲において、種々の改良や変更をしてもよいのはもちろんである。
【図面の簡単な説明】
【００３９】
【図１】本発明の画面表示用アイテムの表示方法を実施する情報処理装置の機能を説明するブロック図である。
【図２】（ａ）〜（ｅ）は、本発明の画面表示用アイテムの表示方法で表示される画面および画像の一例を説明する図である。
【図３】（ａ）〜（ｃ）は、本発明の画面表示用アイテムの表示方法で表示される画面および画像の他の例を説明する図である。
【符号の説明】
【００４０】
１０  情報処理装置
１２  情報処理本体部
１４  ディスプレイ
１６  加工処理部
１８  処理プログラム格納部
２０  処理プログラム生成部
２２  識別表示情報抽出部
２４  データベース部
２６  表示用アイテム・項目設定部
５０  画面
５２  フォルダ
５４ａ〜ｅ  サムネール画像
５６  ポインタ
【図１】
2005258755.tif 000003
【図２】
2005258755.tif 000004
【図３】
2005258755.tif 000005